(57)【要約】  本発明は、半自動または自動船舶係留システムを備えた船舶３およびそのようなシステムと係留するための方法に関する。船舶は、船体２２と、係留ラインウインチユニット７と、前記ウインチユニット７から延びる少なくとも１つの係留ラインと、少なくとも１つの係留ラインの端のウエイト４とを含む。係留ラインガイド部分２６に少なくとも１つの係留ラインガイドを備えた係留ラインガイドブーム５は、船体２２と位置合わせされた後退位置と延長位置との間で移動可能である。延長位置では、係留ラインガイドブーム５は、ウインチユニット７が係留ラインガイドを通って岸壁１まで延びる係留ラインの端でウエイト４を下げることを可能にする。
2021511247.tif 000002
【特許請求の範囲】
【請求項１】
半自動または自動船舶係留システムを備えた船舶（３）であって、前記船舶（３）は、船体（２２）と、
係留ラインウインチユニット（７）と、
前記ウインチユニット（７）から延びる少なくとも１つの係留ラインと、
前記少なくとも１つの係留ラインの端のウエイト（４）と、
少なくとも１つの係留ラインガイド、および係留ラインガイド部分（２６）を備えた、前記船体（２２）と位置合わせされた後退位置と延長位置との間で移動可能な係留ラインガイドブーム（５）と
を含み、
これにより、前記延長位置にある前記係留ラインガイド部分（２６）は、前記ウインチユニット（７）が前記係留ラインガイドを通って岸壁（１）まで延びる前記係留ラインの前記端で前記ウエイト（４）を下げることを可能にする、
船舶。
【請求項２】
前記船体（２２）は、少なくとも１つの船体開口部（１１）を含み、前記少なくとも１つの係留ラインは、前記少なくとも１つの船体開口部（１１）を通って延びる、請求項１に記載の船舶。
【請求項３】
前記少なくとも１つの係留ラインは、メッセンジャライン（８）と、前記メッセンジャライン（８）に取り付けられた主係留ライン（９）とを含み、前記ウエイト（４）は、前記メッセンジャライン（８）の端に取り付けられる、請求項１または２に記載の船舶。
【請求項４】
前記ウエイト（４）は、少なくとも前記ウインチユニット（７）を制御する岸側コントローラ（１８）を含む、請求項１〜３のいずれか一項に記載の船舶。
【請求項５】
前記ウインチユニット（７）は、前記船体（２２）の内部に位置する、請求項１〜４のいずれか一項に記載の船舶。
【請求項６】
前記係留ラインガイドは、前記係留ラインガイド部分（２６）の係留ラインガイドブーム開口部（１２）によって提供される、請求項１〜５のいずれか一項に記載の船舶。
【請求項７】
前記船体（２２）は、少なくとも１つの船体開口部（１１）を含み、前記少なくとも１つのウエイトは、前記係留ラインガイド部分（２６）の係留ラインガイドブーム開口部（１２）を取り囲む開口部シート（１３）に一致する円錐形着座部分（１５）を含み、前記少なくとも１つの係留ラインが後退位置にあるときに前記船体開口部（１１）を密閉する、請求項１〜６のいずれか一項に記載の船舶。
【請求項８】
前記少なくとも１つのウエイトは、平らな底面（４）を含む、請求項１〜７のいずれか一項に記載の船舶。
【請求項９】
前記係留ラインガイドブーム（５）は、前記船体に旋回可能に支持され、前記船体（２２）と位置合わせされた前記後退位置と前記延長位置との間で前記係留ラインガイドブーム（５）および前記係留ラインガイド部分（２６）を揺動させるために設けられた係留ラインガイドブームアクチュエータ（６）を含む、請求項１〜８のいずれか一項に記載の船舶。
【請求項１０】
前記半自動または自動船舶係留システムの前記係留ラインガイドブーム（５）は、前記船体（２２）と位置合わせされた後退位置と前記延長位置との間で前記係留ラインガイド部分（２６）を直線的にシフトさせるために設けられた伸縮要素（１７）または直線的に延びるアーム（２３）を含む、請求項１〜９のいずれか一項に記載の船舶。
【請求項１１】
各係留ライン用の表示灯（２７）をさらに含む、請求項１〜１０のいずれか一項に記載の船舶。
【請求項１２】
前記船舶は、自律船舶である、請求項１〜１１のいずれか一項に記載の船舶。
【請求項１３】
各々２つまたは３つの係留ライン（９）を含む２つ以上の半自動または自動船舶係留システムを含み、各係留ライン（９）は、前記ウインチユニット（７）によって制御され、前記ウインチユニットは、各係留ライン（９）に対して１つの係留ラインドラム（２８）を含む、請求項１〜１２のいずれか一項に記載の船舶。
【請求項１４】
半自動または自動船舶係留システムを備えた船舶（３）の半自動または自動係留の方法であって、前記船舶（３）は、船体（２２）と、
係留ラインウインチユニット（７）と、
前記ウインチユニット（７）から延びる少なくとも１つの係留ラインと、
前記少なくとも１つの係留ラインの端のウエイト（４）と、
係留ラインガイド部分（２６）上の少なくとも１つの係留ラインガイドを備えた、前記船体（２２）と位置合わせされた後退位置と延長位置との間で移動可能な係留ラインガイドブーム（５）と
を含み、
前記方法は、
岸壁（１）に沿って来るように前記船舶（３）を航行するステップと、
前記係留ラインガイド部分（２６）を前記船体（２２）に沿って後退位置から前記岸壁（１）の上の延長位置に移動させるステップと、
前記ウインチユニット（７）を作動させて前記ウエイト（４）を前記岸壁（１）に下げるステップと、
前記係留ラインガイド部分（２６）を前記岸壁（１）の上の前記延長位置から前記船体（２２）に沿って前記後退位置に移動させるステップと、
前記係留ラインを引き出して前記係留ラインの係留ライン取り付け部分を受け取るステップと、
前記係留ライン取り付け部分を前記岸壁の係留ライン取り付け要素に取り付けるステップと、
前記ウインチユニットを操作して係留ラインの締め付けを調整するステップと
を含む、方法。
【請求項１５】
前記船舶係留システムは、さらなる係留ラインを含み、前記方法は、
前記さらなる係留ラインを引き出し、前記さらなる係留ラインのさらなる係留ライン取り付け部分を受け取るステップと、
前記さらなる係留ライン取り付け部分を前記岸壁のさらなる係留ライン取り付け要素に取り付けるステップと、
前記ウインチユニットを操作して前記さらなる係留ラインの締め付けを調整するステップと
を繰り返すことをさらに含む、請求項１４に記載の方法。
【請求項１６】
前記ウインチユニットを操作して係留ラインの締め付けを調整するステップは、前記少なくとも１つのウエイト（４）に取り付けられた岸側コントローラ（１８）を操作することを含む、請求項１４に記載の方法。
【発明の詳細な説明】
【技術分野】
【０００１】
本発明は、半自動または自動船舶係留システムを備えた船舶およびそのようなシステムとドッキングするための方法に関する。本発明の船舶は、典型的には自律船舶であるが、本発明は有人船舶であってもよい。自律船舶のドッキングは、船舶に人員がいない状態で行うのが最適である。本発明は、特別な設備または岸壁の適合を必要とせずに、係留ラインを岸壁に自動的に提示するシステムを提供することによって、本問題を解決する。しかし、岸壁には、係留ラインをボラードまたは他の適切な取り付け構造物に取り付けるためのクルーを含める必要がある。システムは、係留ラインを単独で、またはライン固定ユニットと組み合わせて解放、締め付け、および定位置に保持することができる搭載型係留ラインウインチを含む。全自動システムの場合、岸壁には、係留ラインを自動的に取り付けるためのシステムを含めなければならない。
【背景技術】
【０００２】
従来技術の解決策は、船舶を岸壁に保持するための様々なタイプのアームまたはブームによる解決策を含む。アームは、典型的には、手動で操作される。しかし、これらの解決策のほとんどは、岸壁を何らかの方法で船舶に適合させる必要がある。他のタイプは、係留が完了した後に係留の一部を形成するアームを含む。
【発明の概要】
【０００３】
本発明では、アームは自動的に操作され、アームは係留が完了した後に係留の一部を形成しない。さらに、手動操作または解決策の介入を岸壁から行うことが可能である。本発明の目的は、係留システムに特に適合していない、岸壁で使用することができる少なくとも半自動のシステムを提供することである。
【０００４】
さらに、本発明のシステムは、岸壁に特別に適合された制御システムを必要とせず、かつ無人船舶に搭載された手動操作を必要としない。
【０００５】
さらに、システムを船舶の上部のデッキ領域から完全に離して、その領域を他の目的のために確保することができる。
【０００６】
さらに、システムは、複数の係留ラインと組み合わせて使用することができ、システムをブレストライン、スプリングライン、バウライン、スターンラインなどに使用することが可能である。
【０００７】
システムはまた、典型的にはシステムの一部として使用されるウエイトに取り付けられた制御ユニットを含む。
【０００８】
本発明は、半自動または自動船舶係留システムを備えた船舶に関する。船舶は、船体と、係留ラインウインチユニットと、前記ウインチユニットから延びる少なくとも１つの係留ラインとを含む。ウエイトは、少なくとも１つの係留ラインの端に固着される。係留ラインガイド部分に少なくとも１つの係留ラインガイドを備えた係留ラインガイドブームは、船体と位置合わせされた後退位置と岸壁の上の延長位置との間で移動可能である。延長位置にある係留ラインガイドブームは、ウインチユニットが少なくとも１つの係留ラインガイドを通って岸壁まで延びる少なくとも１つの係留ラインの端でウエイトを下げることを可能にする。
【０００９】
船体は、船体開口部を含んでもよく、少なくとも１つの係留ラインは、船体開口部を通って延びてもよい。
【００１０】
少なくとも１つの係留ラインは、メッセンジャラインと、メッセンジャラインに取り付けられた主係留ラインとを含んでもよい。ウエイトは、メッセンジャラインの端に取り付けられてもよい。
【００１１】
ウエイトは、少なくともウインチユニットを制御する岸側コントローラを含んでもよい。
【００１２】
ウインチユニットは、船体の内部に位置してもよい。
【００１３】
少なくとも１つのウエイトは、係留ラインガイドブーム開口部を取り囲むシートに一致する円錐形着座部分を含んでもよい。船体が少なくとも１つの船体開口部を含むとき、ウエイトは、したがって少なくとも１つの係留ラインが後退位置にあるときに船体開口部を密閉してもよく、波または海水しぶきから水が開口部／複数の開口部に入る危険を冒さずに開口部／複数の開口部を船体のさらに下に位置させることができる。
【００１４】
ウエイトは、平らな底面を含んでもよい。
【００１５】
係留ラインガイドブームは、船体に旋回可能に支持されてもよく、船体と位置合わせされた後退位置と延長位置との間で係留ラインガイドブームを揺動させるために設けられた係留ラインガイドブームアクチュエータを含んでもよい。
【００１６】
半自動または自動船舶係留システムの係留ラインガイドブームは、代替の実施形態では、船体と位置合わせされた後退位置と延長位置との間で係留ラインガイドブームを直線的にシフトさせるために設けられた伸縮要素を含んでもよい。
【００１７】
船舶は、各係留ライン用の表示灯をさらに含んでもよい。
【００１８】
船舶は、自律船舶であってもよい。
【００１９】
船舶は、各々３つの係留ラインを含む２つの半自動または自動船舶係留システムを含んでもよく、各係留ラインは、ウインチユニットによって制御され、ウインチユニットは、各係留ラインに対して１つの係留ラインドラムを含む。
【００２０】
本発明は、半自動または自動船舶係留システムを備えた船舶の半自動または自動係留の方法をさらに含む。船舶は、船体と、係留ラインウインチユニットと、前記ウインチユニットから延びる少なくとも１つの係留ラインと、少なくとも１つの係留ラインの端のウエイトと、少なくとも１つの係留ラインガイドを備えた係留ラインガイドブームとを含む。係留ラインガイドブームは、船体と位置合わせされた後退位置と延長位置の間で移動可能である。方法は、岸壁に沿って来るように船舶を航行するステップを含む。次に、係留ラインガイドブームは、船体に沿って後退位置から岸壁の上の延長位置に移動する。ウインチユニットが作動され、ウエイトを岸壁に下げる。係留ラインガイドブームは、岸壁の上の延長位置から船体に沿って後退位置に移動する。係留ラインは、係留ラインの係留ライン取り付け部分を受け取るように引き出され、係留ライン取り付け部分は、岸壁の係留ライン取り付け要素に取り付けられ、ウインチユニットが操作され、係留ラインの締め付けを調整する。
【００２１】
船舶係留システムがさらなる係留ラインを含む場合、方法は、さらなる係留ラインを引き出し、さらなる係留ラインのさらなる係留ライン取り付け部分を受け取るステップを繰り返すことをさらに含む。さらなる係留ライン取り付け部分は、岸壁のさらなる係留ライン取り付け要素に取り付けられ、ウインチユニットが操作され、さらなる係留ラインの締め付けを調整する。
【００２２】
ウインチユニットを操作して係留ラインの締め付けを調整するステップは、少なくとも１つのウエイトに取り付けられた岸側コントローラを操作することを含む。
【００２３】
１つまたは複数の搭載型係留ラインウインチは、従来のドラムウインチである必要はないが、自動的に供給されるキャプスタンウインチであってもよく、複数の係留ラインと組み合わせて使用することもできる。さらに、ウインチユニットはまた、複数の係留ラインに使用することができる把握および解放タイプのワイヤウインチを含んでもよい。
【図面の簡単な説明】
【００２４】
【図１】第１の構成における本発明の係留システムを備えた船舶の一部を示す図である。
【図２】第２の構成における本発明の係留システムを備えた船舶の一部を示す図である。
【図３】第３の構成における本発明の係留システムを備えた船舶の一部を示す図である。
【図４】第４の構成における本発明の係留システムを備えた船舶の一部を示す図である。
【図５】第５の構成における本発明の係留システムを備えた船舶の一部を示す図である。
【図６】上から見た、本発明の第１の実施形態の概略図である。
【図７】上から見た、本発明の第２の実施形態の概略図である。
【図８】船体側に設置された係留ラインガイドブームを示す、側方からの本発明の第３の実施形態の概略図である。
【図９ａ】本発明によるドッキングのシーケンスの概略図である。
【図９ｂ】本発明によるドッキングのシーケンスの概略図である。
【図９ｃ】本発明によるドッキングのシーケンスの概略図である。
【図９ｄ】本発明によるドッキングのシーケンスの概略図である。
【図９ｅ】本発明によるドッキングのシーケンスの概略図である。
【図９ｆ】本発明によるドッキングのシーケンスの概略図である。
【図１０ａ】本発明による出航のシーケンスの概略図である。
【図１０ｂ】本発明による出航のシーケンスの概略図である。
【図１０ｃ】本発明による出航のシーケンスの概略図である。
【図１０ｄ】本発明による出航のシーケンスの概略図である。
【図１０ｅ】本発明による出航のシーケンスの概略図である。
【図１１ａ】本発明の代替の実施形態の半自動または自動船舶係留システムを示す図である。
【図１１ｂ】本発明の代替の実施形態の半自動または自動船舶係留システムを示す図である。
【図１１ｃ】本発明の代替の実施形態の半自動または自動船舶係留システムを示す図である。
【発明を実施するための形態】
【００２５】
図１〜図５は、自律船舶に乗り込む必要のない船舶のドッキングのシーケンスを示す。
【００２６】
図１では、船舶３が岸壁１に沿って置かれている。ボラード２は、岸壁１に固着されている。船舶３は、旋回点１０において船舶３の船体の側部に旋回可能に支持された揺動アームによって提供される係留ラインガイドブーム５を含む。平らな底面４を備えた３つのウエイト１４は、係留ラインガイドブーム５の円錐形着座面に位置して着座面を密閉し、海水しぶきが船体に入るのを防止する。ウエイト１４の平らな底部４および係留ラインガイドブーム５は、滑らかな船体側部を提供するために船体に面一に装着されてもよい。
【００２７】
係留ラインガイドブーム５は、図１〜図６および図８〜図１０の実施形態では、係留ラインガイドブーム開口部を備えた係留ラインガイドブーム５の外側部分によって構成される係留ラインガイド部分２６を含む。
【００２８】
船舶内部のウインチは、ウエイト１４をこの着座位置に保持する。
【００２９】
シーケンスは、以下を含む：
１．図１、トランジット位置、システムは操作されず、ウエイトは係留ラインガイドブームと実質的に面一であり、係留ラインガイドブームは船体に沿って実質的に水平に置かれている。係留ラインガイドブームは、船体の凹部に位置することができる。
【００３０】
２．図２、係留プロセスのステップ１：
係留ラインガイドブームは外に揺動され、船体からある角度に、典型的には垂直にあり、船体から実質的に水平に外に延びている。３つの係留ラインの最初の部分を形成する３つのメッセンジャラインは、係留ラインガイドブームの延長を可能にするために引き出される。
【００３１】
３．図３、係留プロセスのステップ２：
係留ラインは、係留ラインガイドブームが延長位置にある間にウエイトを岸壁に下げるためにさらに引き出される。
【００３２】
４．図４、係留プロセスのステップ３：
係留ラインガイドブームは、ウエイトが岸壁に残っている間に図１の位置に揺動して戻される。
【００３３】
係留ラインガイドブームは、係留ラインが係留ラインガイドブームを通って延びる間に静止位置に後退し、係留ラインは、常に係留ラインガイドブームを通って延びる。
【００３４】
５．図５、係留プロセスのステップ４：
メッセンジャラインの１つを引っ張って主係留ラインの１つを引き出し、この主係留ラインを岸壁に固着する。船体内部のウインチシステムは、この主係留ラインを締め付けるために岸側コントローラによって操作される。無視できるほどの荷重が、係留ラインから係留ラインガイドブームに伝達される。
【００３５】
６．図５、係留プロセスのステップ５：
必要に応じて、残りの係留ラインを使用してステップ４を繰り返す。
【００３６】
図２は、船体から外へと揺動した位置にある係留ラインガイドブーム５を示すことを除いて、図１に対応する。船体凹部１９は、係留ラインガイドブーム５を収容するために船体の側部に位置し、係留ラインガイドブーム５が後退位置にあるとき、係留ラインガイド部分２６を含む係留ラインガイドブーム５全体が船体と面一になることを可能にする。係留ラインガイドブーム５は、係留ラインガイドブーム５の内側端の旋回点１０を中心に旋回した、外へと揺動した延長位置で示されている。係留ラインガイドブームの長さは、船体の側部から岸壁１の上の位置まで安全に延びるのに十分でなければならない。メッセンジャライン８は、係留ラインガイドブーム開口部に着座したウエイト１４を保持する。メッセンジャライン８は、船体開口部１１（ホース）を通って延び、船体内部の１つまたはいくつかのウインチに接続される。したがって、船舶の航行が良好である限り、係留ラインガイドブームは比較的短くてもよい。２〜３メートル以下から最も内側のウエイトであれば、十分である。メッセンジャライン８は、主係留ラインの延長としてウインチに巻き取られ、わずかに弾性であり得、係留ラインガイドブーム開口部に着座したウエイト１４をしっかりと保持する。係留ラインガイド部分２６は、リアルタイムのライブ画像をコントローラ／港長／遠隔に位置する制御室に送るか、またはパターンマッチングソフトウェアを用いて情報をコンピュータに提供することができるカメラ２９を含む。
【００３７】
図３は、岸壁１に静止したウエイト１４を示すことを除いて、図２に対応する。メッセンジャライン８は、船体内部のウインチによって解放されており、ウエイト１４によって係留ラインガイドとして作用する係留ラインガイドブーム開口部１２／ホースを通して引っ張られる。係留ラインガイドブーム開口部は、係留ワイヤの最も広い部分が開口部を通ることを可能にするように適合された直径を有する、円形または楕円形の開口部である。係留ラインの最も広い部分は、典型的には、係留ラインアイ１６（図５に示される）との取り付け部分部である。円形／楕円形の開口部の直径は、例えば、係留ラインアイによって形成された係留ライン取り付け部分の幅の２倍であり得る。開口部は、係留ラインのホースまたはフェアリーダを形成し、係留ラインおよびフェアリーダの摩耗を減らすために丸みを帯びた縁を含む。係留ラインガイドブームアクチュエータ６は、係留ラインガイドブームをドッキングのための位置に維持するために延長位置にある。船体開口部１１は、ウインチの外部に位置し、係留ラインガイドブームが後退位置にあるとき、係留ラインガイドブーム開口部１２と位置合わせされる。ウエイト１４の平らな底面により、ウエイトは岸壁に安定して位置するようになる。メッセンジャライン８は、その外側端でウエイト１４に固定される。係留ライン取り付けまたは解放シーケンスを示す表示灯２７は、ウエイト１４、係留ラインガイド部分、または船舶３に位置することができる。
【００３８】
図示の実施形態は、船体および係留ラインガイドブームに３つの係留ライン開口部を含み、係留ラインのフェアリーダ／ホースを形成する。
【００３９】
あるいは、係留ラインガイドブーム開口部は、船体内部のローラフェアリーダにアクセス可能なように寸法設定されてもよい。ローラフェアリーダはまた、係留ラインガイドブームのホースと置き換えることができる。
【００４０】
図４は、船体凹部に位置する後退位置にある係留ラインガイドブーム５を示すことを除いて、図３に対応する。係留ラインガイドブーム開口部１２は、船体開口部と位置合わせされ、メッセンジャライン８がウインチから、船体を通り岸壁１のウエイト１４に至ることを可能にする。メッセンジャライン８を引き込んでも、この位置では係留ラインガイドブーム５に荷重がかからない。ウエイト１４は、係留ラインガイドブーム開口部１２を取り囲む開口部シートに対して着座するための円錐形着座面１５を含む。
【００４１】
岸側コントローラ１８は、ウインチを制御するためにウエイトの１つに位置する。岸側コントローラ、ウインチ、および係留ラインガイドブームアクチュエータの間の通信は、メッセンジャラインに沿って実行することも、ワイヤレスにすることも可能である。図５は、ボラード２に取り付けられた主係留ラインアイ１６によって形成された主係留ライン取り付け部分を備えた主係留ライン９を示すことを除いて、図４に対応する。残りの２つのメッセンジャライン／パイロットライン８は、例えばブレストライン、スプリングライン、バウライン、スターンラインなどのさらなる主係留ラインを延長するために使用することができる。係留ラインガイドブーム開口部は、ウエイトの円錐形着座面１５の形状を補完する形状を有する開口部シート１３によって取り囲まれている。
【００４２】
図６は、本発明の揺動式自律船舶係留システムの概略図である。係留ラインガイドブーム５は、平らな底部４を有するウエイト１４のための開口部シート１３を備えた開口部を含む。開口部は、船体２２の船体開口部１１と位置合わせされる。アクチュエータ６は、係留ラインガイド部分が延長位置と船体２２と一致する位置（図示されるような）との間にある状態で係留ラインガイドブーム５を作動させる。アクチュエータ６は、油圧シリンダ、電気機械式アクチュエータなどの能動的な二方向（イン／アウト）制御アクチュエータ、または受動スプリング要素であってもよい。アクチュエータが受動スプリング要素であるとき、ウインチユニットを使用して、係留ラインガイドブーム５を延長または後退させることができる。スプリング要素は、機械式スプリング、油圧シリンダおよび液圧アキュムレータ、ガススプリングなどを含んでもよい。メッセンジャライン８は、主係留ライン（図示せず）と接合され、ライン固定ユニット２０を通って延びてライン８をウインチユニット７に固定または解放することができる。ライン停止検出器２１は、ラインが完全に後退し、ウエイトが開口部シート１３に着座したときにウインチが停止すべきであることを示す信号を提供する。ウインチユニット７が荷重下でラインを保持することができる場合、ライン固定ユニット２０は省略されてもよい。ウエイト１４は、ウエイト１４が図示のその後退位置にあるとき、船体開口部１１を密閉する。
【００４３】
図７は、係留ラインガイドブーム５および係留ラインガイド部分２６を直線的に内外に移動させるための直線的に延びるアーム２３を備えた代替の実施形態を示す。この実施形態では、「係留ラインガイドブーム」は、揺動または旋回しない。「直線的に延びるアーム」は、この文脈では、船体の外部で、または船体の凹部内で船体と位置合わせされた位置から、岸壁の上に位置する延長位置までの「係留ラインガイド部分２６の直線的な変位を可能にする要素をカバーすることを意図している。残りの要素は、図６の要素に対応する。
【００４４】
図８は、係留ラインガイドブーム５が３つの個々の係留ラインガイドブーム部１２ａ、１２ｂおよび１２ｃに分割され、各々がホースを運ぶ一実施形態を示す。３つの係留ラインガイドブーム部は、複数の係留ラインでの係留を容易にするために、アクチュエータで独立して作動させることができる。個々の係留ラインガイドブーム部１２ａ、１２ｂおよび１２ｃは、共通の旋回点を有しており、最も内側で最も短い係留ラインガイドブーム１２ｃは、２番目の最も内側で中間の係留ラインガイドブーム１２ｂの切り欠き２４に位置し、次いで係留ラインガイドブーム１２ｂは、外側の最も長い係留ラインガイドブーム１２ａの切り欠き２４に位置する。係留ラインガイドブーム１２は、船体２２の凹部１９に位置する。
【００４５】
図９ａ〜図９ｆは、ドッキング中のシーケンスを示す。（同じ参照番号がすべての図９ａ〜図９ｆに適用される）。
【００４６】
図９ａでは、船舶３は、岸壁１に沿って航行される。本発明の半自動または自動船舶係留システムは、非アクティブである。図１も参照されたい
【００４７】
図９ｂでは、係留ラインガイドブーム５は、係留ラインガイドブームアクチュエータ６によって延長され、ウインチユニット７の操作は、係留ラインガイドブームアクチュエータ６の操作と協調し、ウエイト１４を係留ラインガイドブーム５に着座したそれぞれの位置に維持しながら係留ラインガイドブーム５の延長を可能にする。図２も参照されたい
【００４８】
図９ｃでは、左ウインチユニット７が操作され、左ウエイト１４が岸壁に下げられる。
【００４９】
図９ｄでは、右ウインチユニット７が操作され、右ウエイト１４が岸壁に下げられる。
【００５０】
図９ｅでは、係留ラインガイドブーム５は、係留ラインガイドブームアクチュエータ６によって後退され、中央ウインチユニット７の操作は、係留ラインガイドブームアクチュエータ６の操作と協調し、中央ウエイト１４を係留ラインガイドブーム５に着座したそれぞれの位置に維持しながら係留ラインガイドブーム５の後退を可能にする。
【００５１】
図９ｆでは、ドック作業員２５が左メッセンジャライン８を引っ張って左主係留ライン９を引き出しており、左主係留ラインアイ１６が左ボラード２に取り付けられようとしている。ボラード２に取り付けられた左係留ラインアイ１６を示す図５も参照されたい。
【００５２】
図１０ａ〜図１０ｅは、解放中のシーケンスを示す。（同じ参照番号がすべての図１０ａ〜図１０ｅに適用される）。
【００５３】
図１０ａでは、２つの主係留ライン９が２つのボラード２に固着され、船舶３が係留されている。ドック作業員２５は、メッセンジャライン８の端でウエイト１４上の岸側コントローラ１８を制御する。
【００５４】
図１０ｂでは、ドック作業員２５は、右主係留ラインの張力を解放し、主係留ラインアイ１６をボラード２から持ち上げており、それによって右主係留ラインを解放している。
【００５５】
図１０ｃでは、ドック作業員２５は、岸側コントローラ１８を用いて右ウインチユニット７を操作し、主係留ラインを船舶３に引き込んでいる。
【００５６】
図１０ｄでは、ドック作業員２５は、メッセンジャライン８の端でウエイト１４上の岸側コントローラ１８を用いて左ウインチユニット７を操作しており、左主係留ライン９の張力を解放している。
【００５７】
図１０ｅでは、ドック作業員２５は、左主係留ラインの張力を解放し、主係留ラインアイ１６をボラード２から持ち上げており、それによって左主係留ラインを解放している。
【００５８】
岸側コントローラ１８は、ウエイト１４が後退した係留ラインガイドブーム５に着座したそれぞれの静止位置にある状態で、すべてのウインチをそれらの待機位置まで自動的に動かす機能を含むことができる。
【００５９】
図１１ａ〜図１１ｃは、本発明の代替の実施形態の係留ラインガイド部分２６を備えた係留ラインガイドブーム５の延長を示す。この実施形態では、本発明の半自動または自動船舶係留システムは、単一の伸縮要素１７と、係留ラインガイドブーム５の一部を形成する単一の伸縮要素１７の外側端にある係留ラインガイド部分２６とを含む。伸縮要素および伸縮要素の端の係留ラインガイド部分２６は、Ｔを形成する。係留ラインガイドブーム開口部またはガイド１２は、単一の伸縮要素１７によって前方にもたらされる主係留ライン９を運ぶように示されている。これは、状況によっては、メッセンジャラインが省略される場合があることを強調するためである。単一の伸縮要素は、図１１ａに示される後退位置、図１１ｂに示される部分的に延長された位置、および１１ｃに示される完全に延長された位置の間で係留ラインガイドブームを移動させる受動または能動線形アクチュエータを含み得る。受動アクチュエータは、係留ラインガイドブーム５および係留ラインガイド部分２６を延長位置に向かって付勢するスプリング要素を含むことができる。次に、ウインチユニット７を使用して、係留ラインガイドブーム５を延長または後退させることができる。スプリング要素は、機械式スプリング、油圧シリンダおよび液圧アキュムレータ、ガススプリングなどを含んでもよい。船体の凹部１９は、ラインガイド部分２６の形状に一致する形状を有してもよく、係留ラインブームが後退されるときにラインガイド部分を船体に面一に装着することを可能にする。ウインチユニット７は、各係留ラインおよびメッセンジャラインに対して１つのウインチドラム２８を含み得る。ウインチドラム２８は、個々に操作可能であってもよい。ブーム開口部またはガイド１２は、主係留ライン９の繰り出しを容易にするために受動または従動ローラを含み得る。この実施形態では、ウエイトは、主係留ラインに直接固着される。
【００６０】
岸側コントローラは、１つまたはすべてのウインチを制御することができる。あるいは、１つの岸側コントローラを多機能または「スマート」コントローラにして、他のいくつかを非常に基本的な機能を備えたコントローラにすることも可能である。
【００６１】
別の方法として、システムは、遠隔制御ステーションを介して制御することができる。ライブ映像を転送するカメラは、遠隔制御ステーションと通信して操作を監視し得る。カメラは、係留ラインガイドブーム上、または係留システムによる係留の操作の図、特に主係留ラインおよびボラードの図を提供する別の場所に位置することができる。
【００６２】
遠隔の場所、例えば制御室にいる船長は、展開するライン、および係留ラインを接続するためのショアクルー用のシーケンスを事前に決定することができる。
【００６３】
システムは、ウエイトを備えたそのメッセンジャラインを特定の順序でショアクルーに自動的に展開するか、または最初に行う係留ラインを示す岸側コントローラと同時に通信することができる（シーケンスを示すために色の点滅する表示灯にすることも可能である）。
【００６４】
ショアクルーは、ウインチユニットをアクティブ化し、岸側コントローラを使用してラインを緩めることができる。このモードでは、１つまたは複数のウインチは、張力センサを含んでショアクルーが係留ラインを引き出そうとしていることを確認することができ、ウインチユニットは、係留ラインを引き出すのを支援することが可能である。
【００６５】
ショアクルーは、係留ラインがボラードに固着されていること、および係留ラインの張力を調整することができることを岸側コントローラに信号で伝えることができる。遠隔に位置する船長は、張力の程度を事前に決定することが可能である。コンピュータ化された制御システムは、遠隔に位置する船長と置き換えることができる。
【００６６】
コントローラは、ドッキング時に特定の自動シーケンスを始めることもでき、センサおよび検出器は、信号を提供してドッキングプロセスを開始し得る。
【００６７】
システムは、陸路に到着すると非アクティブ化されてもよい。
【００６８】
出発時において出航するとき、遠隔の船長は、システムを再アクティブ化して係留ラインを解放し、ウエイトをそれらのシートにウインチすることが可能であり得る。
【００６９】
遠隔に位置する船長／コントローラは、係留ラインの解放シーケンスを決定することができ、これは、張力解放シーケンスおよび岸側コントローラからの通信を通じてショアクルーに通信される。ウエイト上の、または各揺動アーム開口部に関連する色の点滅する表示灯は、解放シーケンスが必要な場合、どの係留ラインを解放するかを示すことができる。信号が出される前に、ショアクルーはボラードから係留ラインを外してはならない。ショアクルーは、ボラードから張力が解放されたラインを外し、次に岸側コントローラのボタンを押し、ウエイトを後退させることができることを示す。ウエイトはすぐに、または所定のシーケンスで後退させることができる。すべての係留ラインが無事に後退されると、システムに知らせることができる。
【００７０】
システムは、故障が発生したことを示し、緊急信号を遠隔に位置する船長に提供する必要がある。故障には、１つまたは複数の係留ラインの破損、予想よりも高い荷重、ウインチの故障、トランスデューサの故障などが含まれ得る。
【００７１】
船舶は、典型的には、本発明の２つの半自動または自動船舶係留システムを含み、１つはバウ部分に、１つはスターン部分にある。船舶が毎回この側部に沿って来ることができる限り、システムを船舶の片側のみ、典型的にはポート側に含めるだけで十分である。
【００７２】
係留ライン取り付け部分は、係留ラインアイとして示されている。しかし、本発明は、ワイヤおよびロープの取り付け分野でよく知られている他のタイプの取り付けをカバーすることを意図している。
【００７３】
システムは、岸壁に係留ラインの自動取り付けシステムが備えられている場合、完全に自動化することができる。
【符号の説明】
【００７４】
【表１】
2021511247.tif 000003
【図１】
2021511247.tif 000004
【図２】
2021511247.tif 000005
【図３】
2021511247.tif 000006
【図４】
2021511247.tif 000007
【図５】
2021511247.tif 000008
【図６】
2021511247.tif 000009
【図７】
2021511247.tif 000010
【図８】
2021511247.tif 000011
【図９】
2021511247.tif 000012
【図１０】
2021511247.tif 000013
【図１１ａ】
2021511247.tif 000014
【図１１ｂ】
2021511247.tif 000015
【図１１ｃ】
2021511247.tif 000016
【手続補正書】
【提出日】令和1年11月18日(2019.11.18)
【手続補正１】
【補正対象書類名】特許請求の範囲
【補正対象項目名】全文
【補正方法】変更
【補正の内容】
【特許請求の範囲】
【請求項１】
半自動または自動船舶係留システムを備えた船舶（３）であって、前記船舶（３）は、船体（２２）と、
係留ラインウインチユニット（７）と、
前記ウインチユニット（７）から延びる少なくとも１つの係留ラインと、
前記少なくとも１つの係留ラインの端のウエイト（４）と、
少なくとも１つの係留ラインガイド、および係留ラインガイド部分（２６）を備えた、前記船体（２２）と位置合わせされた後退位置と延長位置との間で移動可能な係留ラインガイドブーム（５）と
を含み、
前記船体（２２）は、少なくとも１つの船体開口部（１１）を含み、前記少なくとも１つの係留ラインは、前記少なくとも１つの船体開口部（１１）を通って延び、
前記係留ラインガイドは、前記係留ラインガイドブーム（５）が前記船体（２２）と位置合わせされた前記後退位置にあるときに、前記少なくとも１つの船体開口部（１１）と位置合わせされた前記係留ラインガイド部分（２６）の少なくとも１つの係留ラインガイドブーム開口部（１２）によって提供され、
前記係留ラインガイドブーム（５）は、前記船体に旋回可能に支持され、前記船体（２２）と位置合わせされた前記後退位置と前記延長位置との間で前記係留ラインガイドブーム（５）および前記係留ラインガイド部分（２６）を揺動させるために設けられた係留ラインガイドブームアクチュエータ（６）を含み、
これにより、前記延長位置にある前記係留ラインガイド部分（２６）は、前記ウインチユニット（７）が前記係留ラインガイドを通って岸壁（１）まで延びる前記係留ラインの前記端で前記ウエイト（４）を下げることを可能にする、
船舶。
【請求項２】
前記少なくとも１つの係留ラインは、メッセンジャライン（８）と、前記メッセンジャライン（８）に取り付けられた主係留ライン（９）とを含み、前記ウエイト（４）は、前記メッセンジャライン（８）の端に取り付けられる、請求項１に記載の船舶。
【請求項３】
前記ウエイト（４）は、少なくとも前記ウインチユニット（７）を制御する岸側コントローラ（１８）を含む、請求項１または２に記載の船舶。
【請求項４】
前記ウインチユニット（７）は、前記船体（２２）の内部に位置する、請求項１〜３のいずれか一項に記載の船舶。
【請求項５】
前記少なくとも１つのウエイトは、前記係留ラインガイド部分（２６）の係留ラインガイドブーム開口部（１２）を取り囲む開口部シート（１３）に一致する円錐形着座部分（１５）を含み、前記少なくとも１つの係留ラインが後退位置にあるときに前記船体開口部（１１）を密閉する、請求項１〜４のいずれか一項に記載の船舶。
【請求項６】
前記少なくとも１つのウエイトは、平らな底面（４）を含む、請求項１〜５のいずれか一項に記載の船舶。
【請求項７】
前記半自動または自動船舶係留システムの前記係留ラインガイドブーム（５）は、前記船体（２２）と位置合わせされた後退位置と前記延長位置との間で前記係留ラインガイド部分（２６）を直線的にシフトさせるために設けられた伸縮要素（１７）または直線的に延びるアーム（２３）を含む、請求項１〜６のいずれか一項に記載の船舶。
【請求項８】
各係留ライン用の表示灯（２７）をさらに含む、請求項１〜７のいずれか一項に記載の船舶。
【請求項９】
前記船舶は、自律船舶である、請求項１〜８のいずれか一項に記載の船舶。
【請求項１０】
各々２つまたは３つの係留ライン（９）を含む２つ以上の半自動または自動船舶係留システムを含み、各係留ライン（９）は、前記ウインチユニット（７）によって制御され、前記ウインチユニットは、各係留ライン（９）に対して１つの係留ラインドラム（２８）を含む、請求項１〜９のいずれか一項に記載の船舶。
【請求項１１】
半自動または自動船舶係留システムを備えた船舶（３）の半自動または自動係留の方法であって、前記船舶（３）は、船体（２２）と、
係留ラインウインチユニット（７）と、
前記ウインチユニット（７）から延びる少なくとも１つの係留ラインと、
前記少なくとも１つの係留ラインの端のウエイト（４）と、
係留ラインガイド部分（２６）上の少なくとも１つの係留ラインガイドを備えた、前記船体（２２）と位置合わせされた後退位置と延長位置との間で移動可能な係留ラインガイドブーム（５）と
を含み、
前記方法は、
岸壁（１）に沿って来るように前記船舶（３）を航行するステップと、
前記係留ラインガイド部分（２６）を前記船体（２２）に沿って後退位置から前記岸壁（１）の上の延長位置に移動させるステップと、
前記ウインチユニット（７）を作動させて前記ウエイト（４）を前記岸壁（１）に下げるステップと、
前記係留ラインガイド部分（２６）を前記岸壁（１）の上の前記延長位置から前記船体（２２）に沿って前記後退位置に移動させるステップと、
前記係留ラインを引き出して前記係留ラインの係留ライン取り付け部分を受け取るステップと、
前記係留ライン取り付け部分を前記岸壁の係留ライン取り付け要素に取り付けるステップと、
前記ウインチユニットを操作して係留ラインの締め付けを調整するステップと
を含む、方法。
【請求項１２】
前記船舶係留システムは、さらなる係留ラインを含み、前記方法は、
前記さらなる係留ラインを引き出し、前記さらなる係留ラインのさらなる係留ライン取り付け部分を受け取るステップと、
前記さらなる係留ライン取り付け部分を前記岸壁のさらなる係留ライン取り付け要素に取り付けるステップと、
前記ウインチユニットを操作して前記さらなる係留ラインの締め付けを調整するステップと
を繰り返すことをさらに含む、請求項１１に記載の方法。
【請求項１３】
前記ウインチユニットを操作して係留ラインの締め付けを調整するステップは、前記少なくとも１つのウエイト（４）に取り付けられた岸側コントローラ（１８）を操作することを含む、請求項１１に記載の方法。
【国際調査報告】
2021511247.tif 000017
2021511247.tif 000018
2021511247.tif 000019